(57)【要約】  BD-REなどの書換え型の記録担体は、多様な書き込み動作を実行する。それにもかかわらずオプションで、斯様な記録担体が一度だけ記録可能な記録担体として扱われることができ、例えば後発した意図しない消去に対し、担体に記録されたユーザデータを保護するレベルを供するなどの、新しい機会をユーザに開く。本発明による装置と方法とが、BD-REディスクをBDの追記型ディスクとして論理フォーマッティングを行うことを可能にする。
2009536422.tif 000002
【特許請求の範囲】
【請求項１】
記録担体を受領することと、
前記記録担体のタイプを規定することと、
このタイプに応じて前記記録担体へのアクセスを管理することとを含む、追記型又は書換え型の何れかである前記記録担体をアクセスするための方法において、前記記録担体が書換え型である場合は、当該記録担体のタイプを覆し、あたかも当該記録担体が追記型であるかのように、当該記録担体へのアクセスを管理することを特徴とする方法。
【請求項２】
あたかも追記型であるかのように、前記記録担体へのアクセスを管理することが、あたかも追記型であるかのように前記書換え型の記録担体をフォーマットすることを含む、請求項1に記載の方法。
【請求項３】
書換え型の記録担体用の予約済みエリアに対応する、事前に決められたアドレスであって、前記書換え型の記録担体を、あたかも追記型であるかのようにフォーマットすることが、当該事前に決められたアドレスにアクセスデータを書き込むことを含む、請求項2に記載の方法。
【請求項４】
前記記録担体がBDファミリに属し、前記事前に決められたアドレスが単層ディスクではee060、複層ディスクではee0c0に相当する、請求項3に記載の方法。
【請求項５】
前記記録担体のタイプを規定するステップが、前記事前に決められたアドレスにアクセスデータが存在するかどうかを検証するステップを有する、請求項3に記載の方法。
【請求項６】
前記記録担体を、書換え型として更に再フォーマットすることが回避される、請求項3に記載の方法。
【請求項７】
前記記録担体を書換え型として再フォーマットすることを更に含む、請求項3に記載の方法。
【請求項８】
前記記録担体を書換え型として再フォーマットすることが、現存するアクセスデータを物理的に消去するステップを有する、請求項7に記載の方法。
【請求項９】
前記記録担体を書換え型として再フォーマットすることが、現存するアクセスデータを含むエリアの指定を解除するステップを有する、請求項7に記載の方法。
【請求項１０】
前記記録担体へのアクセスを、あたかも追記型であるかのように管理することが、書換え型で予見される最大の書き込み速度よりも、より高い書き込み速度を用いることを含む、請求項1に記載の方法。
【請求項１１】
記録担体を受領するための受領ユニットと、
前記記録担体のタイプを規定するための認識ユニットと、
このタイプに応じて前記記録担体のアクセスを管理するためのアクセス制御ユニットとを有する、追記型又は書換え型の前記記録担体をアクセスするための装置において、前記記録担体が書換え型である場合、当該記録担体のタイプを覆し、あたかも追記型であるかのように、前記記録担体へのアクセスを管理するよう適応された、装置。
【発明の詳細な説明】
【技術分野】
【０００１】
本発明は、
記録担体を受領するステップと、
当該記録担体のタイプを規定するステップと、
このタイプに応じて当該記録担体へのアクセスを管理（制限）するステップとを有する、追記型又は書換え型の何れかである記録担体をアクセスするための方法に関する。
【０００２】
本発明は更に、
記録担体を受領するための受領ユニットと、
当該記録担体のタイプを規定するための認識ユニットと、
このタイプに応じて当該記録担体のアクセスを管理するためのアクセス制御ユニットとを有する、追記型又は書換え型の何れかである記録担体をアクセスするための装置に関する。
【背景技術】
【０００３】
例えば光ディスクのような記録担体は、事前に記録された情報、即ちユーザに対して読み取り専用タイプであるとか、又はユーザによって記録可能であるとの情報を有することが可能であり、ユーザによって記録可能な記録担体、特に多数回記録可能なものは、これ以降書換え型と呼ばれ、又は一度だけ記録可能なものは、これ以降単に追記型と呼ばれる。これらの例は、各々が、ROM、追記型及び書換え型のバージョンをもつCD、DVD、及びBDのメディア・ファミリであり、CDファミリに対しては、CD-ROM、CD-R、CD-RWであり、DVDファミリに対しては、DVD-ROM、DVD＋R、DVD＋RWであり、BDファミリに対しては、BD-ROM、BD-R、BD-REである。記録/再生装置は一般に、種々異なるタイプの記録担体に対して、種々異なるタイプのアクセスを可能にする。即ち、ROMに対しては読み取りアクセスのみであり、追記型に対しては読み取り及び書き込みアクセスであり、書換え型に対しては読み取り、書き込み及び消去（又は重ね書き）アクセスである。上記を行うために、記録/再生装置は一旦記録担体が受領されると、当該記録担体のタイプ、ROMか、追記型か、書換え型かを規定することを最初に必要とし、この動作をディスク認識の名の下に行う。記録担体のタイプは記録担体の幾つかの物理的な特徴を調べることによって規定されるが、しかし幾つかの事例では記録担体のタイプの情報は記録担体自身上の従来からの場所及び/又は特別な情報チャネル内に存在していることがあり、これゆえ、記録/再生装置は、記録担体自身からこの情報を取得することにより当該記録担体のタイプを規定することができる。一旦、記録/再生装置が記録担体のタイプを認識すると、当該記録担体の誤使用を避けるために最も重要であるので、前記タイプに応じて当該記録担体へのアクセスが制御され、ROMへの書き込み動作が起きてはならず、追記型ディスク又はROMディスクは消去動作が起きてはならず、これらは両方共、記録担体への損傷を回避し、実際に生じているアクセスのタイプについて、ユーザにミスリードをさせないためである。
【０００４】
記録担体のタイプに応じて記録担体へのアクセスを制御することは、例えば消去動作を単に許諾する又は許諾しないかではなく、より一般的に、記録担体の当該タイプに対して規定された、例えばユーザデータが記録されることができる、若しくは記録できないエリア、又はアクセスデータ（即ち、当該記録担体に記録された対象のリスト及び前記対象へのポインタ）の場所等々に関するルールに準拠して記録担体をアクセスするとの、より広い意味を持っていることに気づかれねばならない。これは時折、記録担体を「フォーマッティング」する、即ち、記録担体のタイプに対して予見されるフォーマットに従ってデータを記録する、と呼ばれる。従って、ディスク認識の間に、所与のタイプの記録担体に対して予見されるフォーマットに従ってデータが既に記録されていることが観察された場合、例えば、所与のタイプの記録担体に対して予見されるフォーマットに固有な事実であるアクセス情報が特定の場所に存在していることが観察された場合、これが、斯様な記録担体の物理的な特徴を調べることなしに、当該記録担体は所与のタイプであるとの表示として捕らえられることができる。
【発明の開示】
【発明が解決しようとする課題】
【０００５】
ここで具体的にBDファミリに属する光ディスクについて言及すると、ユーザにより記録可能なタイプであるBD-Rディスクに対し、データを記録する特定の態様が、「System Description Blu-Ray Disc Recordable Format, Part 1, Basic Format Specifications, version 1.11、December 2005」と名付けられた文書で規定されている。アクセスデータを有する、所謂暫定ディスク管理エリア（TDMA）が、単層ディスクではセクタアドレスee060に存在しなければならず、又は複層ディスクではee0c0に存在しなければならないことが記述されている。同じセクタは、BD-REフォーマットでは予約済みになっている。これゆえ、具体的なTDMAコンテンツ（上記文書によって、これも規定されている）によって認識可能なTDMAが存在する場合、当該ディスクはBDの追記型として認識されることができる。
【０００６】
BD-Rディスクのどの特定の場所も、一度より多く書き込まれることはできない。これは、ここに書き込むときに生じる感度層の相変化が不可逆なためである。これに対して、BD-REの感度層の相変化は可逆であり、従ってBD-REディスクは一度より多く書き込まれることが可能である。BD-Rディスクに対して、TDMA更新ユニットはTDMAエリアに連続して書き込まれるが、他方、BD-REディスクに対しては、所謂DMA更新ユニットが制御データとして使われ、これは同じ場所に何度も繰り返し書き込まれることができる。BD-REのDMA更新ユニットが、BD-RディスクのTDMAエリアに対して割り当てられた場所に相当するee060（又はee0c0）から始まるエリアに位置していることは決してないことに留意されたい。言い換えれば、BD-RE規格によると、これらのエリアは予約済みである。
【０００７】
このBD規格は、BDの追記型ディスクが、あたかもBDの書換え型ディスクであるかのように使用されることができるメカニズムも供していることに留意されたい。これは、所謂論理重ね書きメカニズム（Blu-Ray disc Multi-Media Command Set Description(MMC)の例えばドラフト版  version 0.60, 14 August 2005で擬似重ね書き、POWとして知られている）を用いて実現されている。勿論、BD-Rディスクの感度層の相変化は不可逆であるので、当該擬似重ね書きが当該ディスクの物理的に同じ場所を実際に重ね書きすることはない。代わりに、アプリケーション又はホスト装置が既に書き込まれた場所に書き込みコマンドを供したとき、POW動作は、ドライブが新しいデータを異なる、書き込まれていない場所に書き込むことを可能にする。この置換書き込みは、所謂欠陥テーブル内に記録され、このテーブルは、欠陥エリアがある場合の置換書き込みのためにも使われる。
【０００８】
記録担体のより柔軟な使用を可能にする、冒頭で説明されたタイプの記録担体をアクセスするための方法及び装置を供することが本発明の目的である。
【課題を解決するための手段】
【０００９】
本発明によればこの目的は、請求項1に記載の方法及び請求項11に記載の装置によって実現される。
【００１０】
書換えが可能なタイプの書換え型記録担体の、あたかも追記型であるかのような使用は、幾つかの好都合なアプリケーションをもっている。
【００１１】
第1に本発明は、特に記録担体に記録されたデータがアーカイブ用に意図されているとき、書換え型の媒体に記録されたデータの意図されない消去又は所望されない消去に対する保護のレベルを供するために使われることができる。例えば光ディスクのような、幾つかのタイプの記録担体に対し、このことは特に興味深い、というのは書換え型の記録担体は追記型の記録担体よりも、より長くデータを保持することが保証されているからである。更に、詳細が以下に説明されるように、ディスクがあたかも追記型であるかのように動作されるとき、書換え型のディスクへの書き込み動作が増大した速度で実施されることを可能にするために、本発明が適用されることができる。更に、増大した販売数量に起因して、書換え型のディスクのコストが追記型のディスクのコストよりも低くなると仮定すると、本発明は追記型のディスクの使用を必要とするアプリケーションにおいて、より低いコストの書換え型のディスクが追記型のディスクとして使われることを可能にするという長所をもつことであろう。
【００１２】
本発明の好都合な実施例が、従属する請求項に記載されている。
【００１３】
本発明の理解を明確にするのを援助するため、及び本発明がどのように効果を発揮するかをより十分に説明するために、ここで以下の図面が例示的態様のみによって説明されよう。
【発明を実施するための最良の形態】
【００１４】
図1aは、ROMタイプ、追記型、又は書換え型であることが可能な記録担体をアクセスする装置を示す。書換え型の記録担体のグループ11から、又は追記型の記録担体のグループ12から、又はROMタイプの記録担体のグループ13からでさえ取り上げられることが可能な記録担体10が、装置14へと挿入される。当該装置は、当該記録担体10のタイプ、即ちROMタイプ、追記型、又は書換え型かを規定するための認識ユニット15を有する。一旦タイプが規定されると、この情報は、記録担体のタイプに応じて当該記録担体へのアクセスを管理するアクセス制御ユニット16へと手渡される。これは最初に、記録担体の所与のタイプに対して、所与のタイプと物理的に互換性のあるアクセスのみが認められねばならないことを意味する。即ち、ROMに対しては読み取りアクセスのみが、追記型に対しては読み取り及び書き込みが、書換え型に対しては読み取り、書き込み及び消去が認められる。何故ROMタイプの記録担体に書き込みアクセスが試されてはならないか、及び何故ROMタイプ又は追記型の記録担体に消去が試みられてはならないかの理由は、所望される結果がどのみち得られないからであるし、これにより、ユーザをミスリードし、記録担体の損傷と、記録担体に記録されたデータの破壊とを生じるかも知れないからである。逆に、書き込みアクセスが追記型又は書換え型の記録担体で許諾され、消去（又は重ね書き）アクセスが書換え型の記録担体に対して認められることが等しく重要であり、さもないと、これらの記録担体は十分に有効に使われることができないであろう。
【００１５】
加えて、記録担体のタイプに応じて記録担体へのアクセスを管理することは、データが記録されたとき、これらのデータは記録担体の関連するタイプに対して規定された事項、例えばどこにユーザデータが記録されねばならないか、又は記録されてはいけないか、及びどこにどのように制御情報と、特にアクセス情報とが記録されねばならないか、に従って記録されねばならないことも意味している。
【００１６】
この事は、追記型記録担体及び書換え型記録担体の各々のメモリスペースを概観的に示している図2a及び図2bを参照して、より良く理解されることができる。図2aでは、ユーザデータエリア21、アクセスデータエリア22、及び一つ以上の予約済みエリア23を有する追記型の記録担体20の記憶スペースが示されている。同様に図2bでは、ユーザデータエリア26、アクセスデータエリア27、及び一つ以上の予約済みエリア28を有する書換え型の記録担体25の記憶スペースが示されている。この図に示された例では、追記型記録担体20の記憶スペース内のアクセスデータエリア22はアドレスで位置が特定されており、このアドレスは書換え型の記録担体25の記憶スペースでは予約済みエリア28に相当し、これは例えばBD-R対BD-REを考慮した事例である。
【００１７】
アクセスデータは、ディスク上に有るコンテンツを認識するデータ、例えば個々の名前をもつファイルのディレクトリ、初期のアドレス及び他の属性、として意図されている。
【００１８】
どのようにアクセス情報がBD-R及びBD-REに記録されるのかの幾つかの詳細が、ここで付与される。
【００１９】
BD-Rディスクは、多数のトラックと共に多数のセッションをもっている。トラックの入口は所謂SRRI（連続記録範囲情報）に記録され、ここでSRR（連続記録範囲）とは、BD規格での「トラック」に対する単語である。SRRIは、所謂TDMS更新ユニット内に埋め込まれている。TDMSは暫定ディスク管理構造を意味し、TDMS更新ユニットは、暫定ディスク管理エリアを意味するTDMA内に連続して書き込まれる。ディスクが閉じられていない事を「暫定」と呼ぶ。ディスクを閉じるとき、最終のコピーがDMSと呼ばれ、DMSが有るエリアがDMAである。1個のTDMS更新ユニットは、以下の三つの項目を含んでいる：
TDDS（暫定ディスク規定構造）
SRRI（連続記録範囲情報）
DFL（欠陥リスト）
TDDSは、DFLとSRRIとへのポインタを含む、ディスクについての一般情報のみならず、「ユーザデータエリアの論理セクタ番号0の場所」、「ユーザデータエリアの最後の論理セクタ番号」、又は「ユーザデータエリアの最後に記録されたアドレス」などの一般情報も含んでいる。当該TDMAは、クラスタアドレスee060（16進）で始まる。SRRI又はDFLが更新される毎に、新しいTDMS更新ユニットが書き込まれる。BD-REでは、クラスタアドレスee060（16進）で始まるエリアは予約済みとなっている。BD-REディスクは、BD-RでのTDMSと類似のDMS（欠陥管理構造）と呼ばれる構造を持っている。DMSは二つの項目を含んでいる：
DDS（ディスク規定構造）
DFL（欠陥リスト）
当該DMSはDMA（欠陥管理エリア）に属している。より正確には、ロバストネスのために、ディスクはDMA1、DMA2、DMA3、DMA4と呼ばれる四つのコピーを、基本フォーマット規格書で規定されるアドレスにもっている。DMSはSRRIのようなものは含んでいない、というのは基本フォーマット規格書によれば、BD-REは（唯一つのセッションに含まれ、全ユーザデータエリアをカバーしていると考えられる）1本のトラックをもっているに過ぎないからである。当該DDSは、「ユーザデータエリアの論理セクタ番号0の場所」及び「ユーザデータエリアの最後の論理セクタ番号」のようなエントリをもっている。最後に記録されたアドレスなどの概念は含まれていない、というのは、BD-REはランダムに書き込みが可能な媒体であり、アプリケーションレイヤ（ファイルシステム、ビデオフォーマット等）が、どのようにユーザデータエリアを使用するかを決めるからである。MMCコマンドのレベルでは、トラックの本数及びセッションの個数（BD-REの場合、両方とも常に1）のような、BD-Rディスクに関して要求されたのと同じ種類の情報がBD-REディスクに対して要求されることができる。
【００２０】
図1bは、どのように図1aに示される装置が本発明によって適応されるかを概観的に示している。即ち、追記型、書換え型、又はROMタイプの何れかである記録担体のタイプについての情報、及び通常は認識ユニット15によってアクセス制御ユニット16へと手渡される当該タイプの情報は、ある状況では無視され、「追記型」と設定される。明らかに、記録担体のタイプを無視する手段はソフトウエア、ハードウエア、又はこれらの組み合わせにて等しく実行されることができる。記録担体のタイプを無視するための制御信号は装置の外部で生成されることができ、例えば当該装置が光ディスクドライブの形態をもっていれば、ユーザによって示されたオプションがあると、前記制御信号がアプリケーションプログラムから手渡されることができる。
【００２１】
好ましくは、本発明はディスクドライブのファームウエアの一部として実行される。特にフォーマットユニットコマンドは、BDの追記型の媒体に対するフォーマットタイプを、BDの追記型ディスクの場合同様、BDの書換え型ディスクの場合に認めるよう適応される。当該フォーマットユニットは、ドライブがディスクに書き込まねばならない論理フォーマットを規定しているパラメータ（フォーマットタイプ）をもっている。フォーマットされていない（即ち新品の）BD-REディスクに対し、フォーマットタイプ32（BD-Rを示す）は通常は認められないであろう。しかしながら、本発明によれば、フォーマットタイプ32がBD-REディスクに対して認められるようになる。
【００２２】
一般的なディスクドライブでは、ディスクが挿入されると、当該ドライブは以下の一つ以上を行うことによって当該ディスクのタイプを認識する：
ディスクの物理的な特徴を評価すること、
ディスク内に存在することが知られている場合、当該ディスク自身からディスクのタイプについての情報を取得すること、
特定の場所又は特定の物理的な変動現象内に有る、特定の制御情報の存在又は欠如を観測すること、又は
当該ディスクに以前に記録された情報が特定のタイプに準拠しており、他のタイプのディスクとは互換性がないことを観測すること。
【００２３】
最後の項目に対する例が、上で説明されたTDMAエリアである。通常は、ディスクドライブに挿入されたディスクがBDの書換え型ディスクであるならば、TDMAデータエリア内のデータの欠如などによって、当該ディスクが認識されることであろう。同様に、データを書換え型のディスクに書き込むときに、アプリケーション又はホストの装置によってドライブに付与される（MMCコマンドである）フォーマットユニットは、現在挿入されているディスクがBD-REフォーマットをもっているに違いないことを示すパラメータをもつであろう。
【００２４】
図3は、本発明による、書換え型の記録担体をアクセスする方法の実施例を示している。第1のステップ101で、書換え型の記録担体が受領され、第2のステップ102で、書換え型の記録担体が認識され、第3のステップ103で、ドライブは記録担体のタイプが書換え型であることに関する情報を無効にし、当該記録担体が追記型であるかのように記録担体へのアクセスを管理する。例えばBDの場合、アプリケーション又はホストの装置が、あたかもBDの追記型であるかのようにBDの書換え型のディスク（即ち、物理的にはBD-REディスク）をフォーマットすることを可能にする。言い換えれば、アプリケーション又はホスト装置からドライブへと付与されたフォーマットユニットコマンドは、例えドライブに挿入された物理的にはBD-REディスクがあったとしても、当該ドライブは論理的なBD-Rフォーマットでディスクをフォーマットせねばならないことを規定するパラメータをもっていることであろう。よってドライブは、フォーマットされたBDの追記型のディスクとして、その後当該媒体を「見る」又は「扱う」ことであろう。
【００２５】
これは特に、BDの書換え型のディスクが特定の制御データ、即ち、TDMAのパターンをBDの書換え型のディスクの事前に決められたエリア、即ち、通常追記型のディスクが専有しているTDMAエリアに書き込むことによって「フォーマットされる」ことを意味する。単層ディスクに対しては、当該TDMAパターンはアドレスee060へ書き込まれ、複層ディスクに対しては、当該TDMAパターンはアドレスee0c0へ書き込まれる。この情報を従来のBDの追記型ディスクに記憶するために通常使われているエリアに応じて、当該データがディスクの他のエリアへ書き込まれ得ることが理解されよう。この態様で、書換え型のディスクが追記型としてフォーマットされた。
【００２６】
斯様なディスクを、同じ又は類似のディスクドライブへ再度搭載すると、使われたディスク認識アルゴリズムに従って、当該ディスクはBD-Rとして認識される。これは、TDMAパターンが有るかどうかを決定するために、ディスクドライブが適切なアドレスを調べる場合であり、もしも当該TDMAパターンが存在する場合、当該ディスクドライブは当該ディスクがBD-REであることを導き出す。当該ドライブが、以前追記型としてフォーマットされてはいるが、物理的にはBD-REディスクを認識した場合、幾つかのオプションが生じ得る。
【００２７】
本発明の実施例によれば、後続のフォーマットユニットコマンドによる斯様なディスクの再フォーマットを回避するような、ディスクドライブの機能が発揮される。この態様において、当該ディスクドライブは、後続のフォーマットユニットコマンドを受け入れず、従ってディスクは本当のBD-Rディスクであるかのように、再フォーマットされることができない。この実施例は、例えば、意図されない、制御されていない、又は所望されない改竄に対して、ディスクに記録されたデータの保護のレイヤの実行に適用されることができる。
【００２８】
本発明の代替の実施例によれば、ユーザの確認が起こり得る際には、後続するフォーマットユニットコマンドによって再フォーマットが可能であるようなディスクドライブの機能が発揮される。言い換えると、BDの書換え型のディスクをBD-Rとして表していた設定が元に戻されることができるので、当該ディスクに含まれるデータが後の段階で再度重ね書き出来、これによりディスクを再使用可能にする。この態様では、再フォーマットに関するディスクドライブの挙動は、1)再フォーマットが決してできない、適切なBDの追記型ディスクに対する場合と、2)後続して再フォーマットされることができる、BDの追記型としてフォーマットされたBDの書換え型ディスクに対する場合とでは、異なる。言い換えれば、一旦BD-REディスクがBD-Rとしてフォーマットされると、当該ディスクは再度BD-REとして再フォーマットされることができる。従って装置（ディスクドライブ）は、当該ディスクがどのようにフォーマットされたかの態様とは別に、ディスクの書き換えが出来るという性質を識別することが可能にされねばならない。
【００２９】
この再フォーマットに対して、ドライブはディスクをBD-Rとして扱うので、（MMCで規定された）全てのBD-Rのフォーマットコマンドの使用が認められる。これは、BD-Rディスクのデフォルトのフォーマットを付与するフォーマットタイプ0を含んでいる。フォーマットされていないBD-REディスク、又は既にBD-REフォーマットをもつBD-REディスクでは、フォーマットタイプ0はデフォルトのBD-REフォーマットを生じることに留意されたい。
【００３０】
これはアプリケーションの開発、例えば光ディスクにデータを書き込む機能性をもつコンピュータ上で走るソフトウエアのプログラムの開発の場合に、長所を供する。例えばNero社のBurning ROM（ソフトウエア商品名）は、ユーザの文書又は写真のバックアップをDVD上に作るために、又はユーザが好む音楽をもつオーディオCDを作るために使用できるアプリケーションである。Nero社のBurning ROMなどのアプリケーションの製作者が、Blu-rayディスクをサポートするためにプログラムの拡張を所望する場合、本発明は、全面記録された、又は間違って記録されたディスクを廃棄する必要もなく、製作者がBD-REディスクを、あたかもこれがBD-Rディスクであるかのように使って、BD-Rディスクに対する新たなサポートをテストすることを可能にする。これは、本発明がBD-RとしてフォーマットされたBD-REディスクが再フォーマットされることを可能にするという事実によって可能になる。
【００３１】
当該装置は、ディスク上、即ちTDMAエリアに書き込まれたアクセスデータを物理的に消去することにより、又は代替的に、ディスク上に書き込まれたアクセスデータを論理的に消去する、即ちアクセスデータが記録されたエリアの割り当てを解除することによって、追記型として以前にフォーマットされたBD-REディスクを再フォーマットすることが出来る。
【００３２】
実際には、装置は、記録されたエリアを未記録のエリアへと切替えるクラスタアドレスと呼ばれる、次回書き込み可能アドレス（NWA）を記憶することができる。当該装置は、記録‐未記録の遷移点を捜すというよりはむしろ、読み取ることによって（TDMAエリアなどの）制御構造の終了点を検知する。再フォーマットするとき当該装置は、（TDMA更新ユニットなどの）新たな初期制御データ構造と、第1の更新ユニットの直後のアドレスとしてNWAとを記録する。
【００３３】
上記から理解されるように、ディスク上にあるBDの追記型のフォーマットの使用を所望するアプリケーション又はホスト装置は、もはやBDの追記型の媒体を使うことは強制されず、装置内にあるBDの書換え型の媒体を使うこともできる。
【００３４】
更に、本発明は書換え型のディスクに対する書き込み動作が、当該ディスクが追記型として扱われるときの増大した速度で実行されることを暫定的に可能にする長所ももっている。実際に、BDの書換え型のディスクが1度だけ書き込まれるときは、何ら記録されたマークを消去する必要はなく、これゆえディスクの記録速度は増大されることができる。これは、以前に記録されたマークを消去するステップが、書き込み速度を制限する要因だからである（即ち、消去の間、アモルファスのマークは結晶相になり、この現象が起き得る速度は記録層の物理的な特性に依存している）。斯様に、書換え型用にフォーマットされたBDの書換え型のディスクは、第1の速度「X」で書き込まれることができ、他方、追記型用にフォーマットされたBDの書換え型のディスクは、第2の速度、例えば「2X」で書き込まれることができる（勿論、当該ディスクは未使用であると仮定する）。これは、書き込みの前に（現存しているデータを消去する）消去動作を省くことによって、又は連続したマーク間で消去レベルにてレーザを維持する必要から免除されることによって可能にされる。消去無しで、即ちBD-Rの論理フォーマットでBD-REディスクを書き込むことは、物理的な（即ち本当の）BD-Rディスクを書き込むよりも速くできることもまた可能である。
【００３５】
上で説明された実施例は、本発明を限定するというよりむしろ、本発明を例示していること、及び当業者は添付の請求項の範囲から逸脱することなく多数の代替の実施例を設計できるであろうことに留意されねばならない。単語「有する」は、請求項に記載されている以外の素子又はステップの存在を排除するものではなく、「a」又は「an」は複数を排除するものではなく、単一のデータプロセッサ又は他のユニットが請求項で羅列されている幾つかのユニットの機能を満たしても良い。請求項中のどの引用記号も、請求項の範囲を限定するものとして解釈されるべきではない。
【図面の簡単な説明】
【００３６】
【図１ａ】ROMタイプ、追記型、又は書換え型であることが可能な記録担体をアクセスする装置を示す。
【図１ｂ】本発明によって適応された、図1aに示された装置の詳細を示す。
【図２ａ】追記型の記録担体のメモリスペースを概観的に示す。
【図２ｂ】書換え型の記録担体のメモリスペースを概観的に示す。
【図３】書換え型の記録担体をアクセスする、本発明による方法の実施例を示す。
【図１ａ】
2009536422.tif 000003
【図１ｂ】
2009536422.tif 000004
【図２ａ】
2009536422.tif 000005
【図２ｂ】
2009536422.tif 000006
【図３】
2009536422.tif 000007
【国際調査報告】
2009536422.tif 000008
2009536422.tif 000009
2009536422.tif 000010